(57)【要約】【課題】仕切部材を組み付ける作業を簡素化して、その組立コストを低減することができる遊技機用基板ボックスを提供すること。【解決手段】回路基板７は、位置決め部材４，４，６，６によって、仕切部材５と一体成形されたボックス蓋体３の所定位置に位置決めされる。回路基板７の位置決め後、ボックス蓋体３にボックス本体２を覆設して合致させると、ボックス本体２の収容空間２ｊ内に回路基板７が収容される。回路基板７の収容後、ボックス蓋体３をスライドさせると、ボックス蓋体３に伴って回路基板７が収容空間２ｊ内でスライドされ、ロック板２ｅ，３ｅと結合板３ｆ，２ｆが係止されて、ボックス本体２及びボックス蓋体３が結合される。その後、各通穴５ｃ，５ｃから挿入されたビス９，９により、ボックス蓋体３及び回路基板７がボックス本体２の底板２ａにまとめて固定される。【選択図】図２
2011125742.tif 000002
【特許請求の範囲】
【請求項１】
遊技機の制御部品とその制御部品に電気的に接続されるコネクタとを搭載した回路基板を収容するために一面が開放されたボックスベースと、そのボックスベースの開放部分を覆い、そのボックスベースと共に前記回路基板を被包するボックスカバーと、そのボックスカバー又はボックスベースに設けられ前記コネクタに接続される配線部材が導出される導出口とを備えた遊技機用基板ボックス。
【発明の詳細な説明】
【技術分野】
【０００１】
本発明は回路基板を被包する遊技機用基板ボックスに関し、特に、その組立作業を簡素化することができる遊技機用基板ボックスに関するものである。
【背景技術】
【０００２】
近年、パチンコ機およびスロットマシーン等の遊技機は、遊技盤に設けられる入賞装置および表示装置等を制御して遊技の興趣を盛り上げるものが主流となっている。この入賞装置および表示装置の制御はＩＣ，ＬＳＩ等の多数の電子部品を配設したロジック制御回路基板またはマイクロコンピュータを有する回路基板により行われ、この回路基板はボックスベースおよびボックスカバーを備えた基板ボックスに被包されている。
【０００３】
この基板ボックスを用いて回路基板を被包することにより、回路基板への接触行為等の不正行為が防止されるが、基板ボックスには回路基板のコネクタに接続される配線ケーブルを導出する導出口を穿設しなければならず、かかる導出口から基板ボックスに被包された回路基板に接触することができるため、回路基板への不正行為を充分に防止することができなかった。
【０００４】
そこで、導出口を閉鎖する仕切部材（側壁板）を用いて回路基板への接触行為を防止する方法が提案されている。この方法は、回路基板上のコネクタ位置より内側位置に仕切部材をビスなどによりねじ止めして立設することにより、回路基板のコネクタ位置より内側に搭載された電子部品等への接触が防止されるとともに、導出口を介して回路基板上のコネクタに配線ケーブルを接続することができるのである。
【０００５】
また、かかる仕切部材が立設された回路基板を基板ボックス内に収納する場合、仕切部材とボックスベースに被せられるボックスカバーとがネジ止め等により連結される。この場合、ボックスカバーには通穴が穿設され、仕切部材にはビスなどがねじ込まれるねじ穴が凹設されており、かかる通穴およびねじ穴を対向させて、ビスなどを通穴へ挿入し、ねじ込むことにより、ボックスカバーと仕切部材とを連結して、回路基板が基板ボックス内に被包される。
【発明の概要】
【発明が解決しようとする課題】
【０００６】
しかしながら、上述した基板ボックスでは、仕切部材は、ボックスベースに収容された回路基板にビスなどによりねじ止めして固定し、更に、ボックスベースに被せられるボックスカバーにビスなどによりねじ止めして固定する必要があるため、基板ボックスの組立作業が煩雑になってしまうという問題点があった。
本発明は上述した問題点を解決するためになされたものであり、仕切部材を組み付ける作業を簡素化して、その組立コストを低減することができる遊技機用基板ボックスを提供することを目的としている。
【課題を解決するための手段】
【０００７】
この目的を達成するために請求項１記載の遊技機用基板ボックスは、遊技機の制御部品とその制御部品に電気的に接続されるコネクタとを搭載した回路基板を収容するために一面が開放されたボックスベースと、そのボックスベースの開放部分を覆い、そのボックスベースと共に前記回路基板を被包するボックスカバーと、そのボックスカバー又はボックスベースに設けられ前記コネクタに接続される配線部材が導出される導出口とを備え、前記ボックスカバーに一体成形されるとともに、そのボックスカバーから前記回路基板における前記コネクタ搭載位置より内側位置へ向けて立設され、前記ボックスカバーと前記回路基板との対向面間を遮蔽して前記導出口を塞ぐ仕切部材と、その仕切部材に連設され、その仕切部材の立設位置より外側における前記回路基板の表面を覆う覆設部材と、その覆設部材に前記コネクタの外形に適合して設けられ、そのコネクタを前記導出口から露出させるコネクタ口とを備えている。
この請求項１記載の遊技機用基板ボックスによれば、ボックスカバーに立設された仕切部材と回路基板とが合わせられ、その後、ボックスカバーにボックスベースが被せられる。ボックスカバーにボックスベースが被せられると、ボックスベースの開放部分からボックスベース内に回路基板が収容され、ボックスベース及びボックスカバーにより回路基板が被包される。回路基板が被包されると、仕切部材によって回路基板とボックスカバーとの対向面間が遮蔽され導出口が塞がれる一方、覆設部材によって仕切部材の立設位置より外側における回路基板の表面が覆われ、回路基板に搭載されたコネクタが覆設部材に設けられたコネクタ口から導出口の外方に露出される。このコネクタ口から露出されたコネクタに配設部材を接続することにより、ボックスベース及びボックスカバーに被包された回路基板と他の回路基板とが電気的に接続される。  
請求項２記載の遊技機用基板ボックスは、請求項１記載の遊技機用基板ボックスにおいて、前記仕切部材または覆設部材における前記回路基板との対向部分に設けられ、その回路基板を所定位置に位置決めする位置決め部材と、その位置決め部材により位置決めされる前記回路基板およびボックスカバーを前記ボックスカバーにまとめて固定する固定部材とを備えている。  
請求項３記載の遊技機用基板ボックスは、請求項１又は２に記載の遊技機用基板ボックスにおいて、前記ボックスベース又はボックスカバーの一方に設けられる係止突起と、前記ボックスベース又はボックスカバーの他方に設けられ前記係止突起を回動可能、かつ、摺動可能に係止する係止部とを有し、その係止部に前記係止突起が係止されることにより、前記ボックスカバーを前記ボックスベースに対して相対的に開閉可能、かつ、スライド可能に連結する開閉部材と、前記ボックスベース又はボックスカバーの一方に設けられる結合部と、前記開閉部材を介して前記ボックスカバーが前記ボックスベースに被せられる場合に、前記結合部に対向して前記ボックスベース又はボックスカバーに設けられ、前記係止突起の前記係止部内での摺動に伴って前記結合部に係止される結合突起とを有し、その結合突起の前記結合部による係止により前記ボックスカバーを前記ボックスベースに結合して、そのボックスカバーの開放方向へ向けた回動を制限する結合部材とを備えている。  
請求項４記載の遊技機用基板ボックスは、請求項３記載の遊技機用基板ボックスにおいて、前記ボックスベースに配設される第１封印部材と、その第１封印部材に対向し前記ボックスカバーに配設される第２封印部材と、その第２封印部材および第１封印部材を連結し、前記ボックスベース及びボックスカバーを封印する連結封印部材とを備え、前記第１封印部材および第２封印部材は、その互いに対向する端面が適合した形状に形成されており、その第２封印部材の端面は、前記結合部材を介した前記ボックスベース及びボックスカバーの結合時における前記ボックスカバーのスライドに伴って、前記第１封印部材の端面に当接しつつスライド可能に形成されている。
【発明の効果】
【０００８】
本発明の遊技機用基板ボックスによれば、回路基板とボックスカバーとの対向面間を遮蔽して塞ぐ仕切部材はボックスカバーと一体成形されるので、従来のボックスカバーと仕切部材とが別体で設けられた遊技機用基板ボックスのように仕切部材をボックスカバーに固定する作業を行うことが不要となる。よって、かかる仕切部材の固定作業が不要となる分、遊技機用基板ボックスの組立作業は簡素化され、その組立作業に要する時間が短縮化されるので、遊技機用基板ボックスの組立コストを低減することができるという効果がある。
また、仕切部材は、ボックスカバーから回路基板におけるコネクタ搭載位置より内側位置へ向けて立設されるので、かかる仕切部材の立設位置より内側における回路基板表面に搭載される制御部品への接触行為を防止することができる。しかも、仕切部材に連設される覆設部材には、回路基板に搭載されるコネクタの外形に適合してコネクタ口が設けられるので、かかるコネクタ口から回路基板のコネクタを導出口の外方へ露出させることができる一方、その覆設部材により回路基板における仕切部材の立設位置より外側部分を覆い隠して、回路基板への接触行為を防止することができるという効果がある。  
また、本発明の遊技機では、ボックスカバーに立設された仕切部材と回路基板とを合わせて、位置決め部材により回路基板を仕切部材または覆設部材に位置決めする。回路基板の位置決め後、ボックスカバーにボックスベースを被せ、そのボックスベースの開放部分からボックスベース内に回路基板を収容して回路基板を被包する。回路基板の被包後、固定部材によって、ボックスカバー及び回路基板がボックスベースにまとめて固定され、回路基板の収納が完了する。回路基板は、固定部材によって、ボックスベースに固定される以前に、位置決め部材により仕切部材または覆設部材に位置決めされているので、ボックスカバーにボックスベースを被せる際に回路基板がガタ付いて位置ズレすることを防止して、遊技機用基板ボックスの組立作業を円滑に行うことができるという効果がある。ところで、従来の遊技機用基板ボックスでは、仕切部材をボックスカバー及び回路基板に複数箇所でねじ止めする必要があるので、遊技機用基板ボックスの組立作業に時間が掛かり、その組立コストが増加する一方、仕切部材をボックスカバーにねじ止めする分のビスが必要となるので、その分、遊技機用基板ボックスの製造コストが増加してしまっていた。しかしながら、本発明の遊技機用基板ボックスでは、その仕切部材はボックスカバーと一体成形され、かつ、ボックスカバー及び回路基板は固定部材によりボックスベースにまとめて固定されるので、従来のボックスカバーと仕切部材とが別体で設けられた遊技機用基板ボックスのように、ボックスベースに回路基板を固定し、その回路基板に仕切部材を固定し、更に、その仕切部材をボックスカバーに固定する一連の作業を、固定部材によってまとめて行うことができる。よって、遊技機用基板ボックスの組立作業は簡素化されるので、その組立コストを低減することができる。しかも、ボックスカバーと仕切部材とを連結し固定するビスなども不要となるので、その分、遊技機用基板ボックスの製造コストを低減することができるという効果がある。
【図面の簡単な説明】
【０００９】
【図１】本発明の一実施例である基板ボックスが配設されたパチンコ機の裏面図である。
【図２】基板ボックスの分解斜視図である。
【図３】ボックス本体に合致されたボックス蓋体がスライドされて結合される以前の状態における基板ボックスの側断面図である。
【図４】基板ボックスの組立後の外観斜視図である。
【図５】基板ボックスに配設されたボックス封印具の拡大斜視図である。
【図６】天板を下方へ向けた状態のボックス蓋体の部分的拡大図である。
【図７】基板ボックスを封印した状態におけるボックス封印具の部分断面図である。
【図８】予備ねじを保持した状態におけるボックス封印具の部分断面図である。
【図９】第２実施例のボックス封印具の部分的な側断面図である。
【図１０】第３実施例のボックス封印具の部分的な正面断面図である。
【発明を実施するための形態】
【００１０】
以下、本発明の好ましい実施例について、添付図面を参照して説明する。図１は、本発明の遊技機用基板ボックスの一実施例である基板ボックス１が配設されたパチンコ機５０の裏面図である。図１に示すように、基板ボックス１は、薄板鋼材等で構成された薄皿状の取付部材５３により、遊技機の一種であるパチンコ機５０の遊技盤５１の裏面に設けられた入賞球集合カバー５２に取り付けられている。基板ボックス１は、パチンコ機５０の遊技内容に関する制御プログラムやデータを記憶したＲＯＭ等の電子部品（制御部品）が搭載された回路基板７（図２参照）を被包して封印するためのものであり、主に、ボックス本体２と、そのボックス本体２に覆設されるボックス蓋体３とを備えている。尚、図１では、後述する位置決め部材４，６、仕切部材５及びＲＯＭ等の電子部品を搭載した回路基板７を省略して図示している。
【００１１】
次に、図１から図７を参照して、基板ボックス１の詳細について説明する。図２は、基板ボックス１の分解斜視図であり、図３は、ボックス本体２に合致されたボックス蓋体３がスライドされて結合される以前の状態における基板ボックス１の側断面図である。尚、図２及び図３中の矢印Ａは、ボックス蓋体３をボックス本体２に結合するために、ボックス蓋体３をボックス本体２に対して相対的にスライドさせる方向を示している。
【００１２】
図２に示すように、ボックス本体２およびボックス蓋体３は、いずれも略矩形皿状に形成されており、後述する回路基板７をボックス本体２内に収容（設置）した状態で、互いの開口面（開放部分）を対向させ合致（合体）させることにより、ボックス本体２にボックス蓋体３が覆設されて、回路基板７を基板ボックス１内に被包することができる。尚、図２では、ボックス蓋体３を裏面（後面）側から斜視しており、回路基板７の部品面７１（図２の裏側面）に搭載される電子部品を省略して図示している。
【００１３】
ボックス本体２は、後述する回路基板７が設置される略平板状の底板２ａと、その底板２ａの長手方向（図２の上下方向）における両端から前方（図２の手前側）へ立設された一対の壁板２ｂ，２ｃとを備えている。このボックス本体２には、その壁板２ｂ，２ｃの外面にボックス封印具１０の封印ユニット２０がそれぞれ配設されている。尚、ボックス封印具１０の封印ユニット２０についての説明は後述する。
【００１４】
ボックス本体２には、上述した底板２ａおよび一対の壁板２ｂ，２ｃによって、回路基板７を収容するための空間である収容空間２ｊが構成されている。この収容空間２ｊは、その長手方向（図２の上下方向）幅、即ち、一対の壁板２ｂ，２ｃの対向面間幅が幅長Ｌ１に形成されており、回路基板７の長手方向（図２の上下方向）における幅長Ｌ２より大きく形成されている（Ｌ１＞Ｌ２）。
【００１５】
しかも、収容空間２ｊの幅長Ｌ１及び回路基板７の幅長Ｌ２は、その方向がボックス蓋体３のスライド方向（図２の矢印Ａ方向）と一致している。このため、図３に示すように、ボックス蓋体３とボックス本体２とが合致され、かつ、ボックス蓋体３が矢印Ａ方向へスライドされる以前の状態では、収容空間２ｊの壁板２ｃとその壁板２ｃと対向する回路基板７端部（図２及び図３の下側端）との間に幅長Ｌ１と幅長Ｌ２の差分長さの空隙Ｌ３（＝Ｌ１−Ｌ２）を設けることができる。よって、かかる空隙Ｌ３が設けられることにより、回路基板７は、後述するように、ボックス蓋体３の矢印Ａ方向へ向けたスライドに伴って、収容空間２ｊ内を矢印Ａ方向へスライドすることができるのである。
【００１６】
図２に示すように、収容空間２ｊには、その底板２ａ前面における切欠部２ｄ側縁部の壁板２ｃ側隅（図２の左下側）に略円柱状のスペーサ２ａ１が突設されており、その底板２ａ前面の壁板２ｃ側縁部略中央に略板状のスペーサ２ａ２が底板２ａ及び壁板２ｃに跨って突設されている。また、収容空間２ｊには、その底板２ａ前面の切欠部２ｈ側縁部（図２の右側）に底板２ａの長手方向（図２の上下方向）へ向けて連続した略板状のスペーサ２ａ３が立設されている。
【００１７】
更に、図３に示すように、収容空間２ｊには、その底板２ａ前面における切欠部２ｄ側縁部の壁板２ｂ側隅（図３の上側）であって、上述したスペーサ２ａ１の上方位置に略円柱状のスペーサ２ａ４が突設されており、その底板２ａの壁板２ｂ側縁部であって、上述したスペーサ２ａ２の上方位置に略板状のスペーサ２ａ５が底板２ａ及び壁板２ｂに跨って突設されている。尚、スペーサ２ａ４は、スペーサ２ａ１と上下対称に形成され、スペーサ２ａ５はスペーサ２ａ２と上下対称に形成されている。
【００１８】
これらのスペーサ２ａ１〜２ａ５は、ボックス本体２内に回路基板７が収容される場合に、回路基板７の半田面７２側縁部（図２の手前側面）に当接して回路基板７を支持するものであり、回路基板７と底板２ａとの間に隙間を設けて、その半田面７２と底板２ａとの接触を防止することができる。よって、収容空間２ｊ内で回路基板７をボックス蓋体３と共にスライドさせる場合には、回路基板７と底板２ａとの間に隙間により、回路基板７の半田面７２から底板２ａへ向けて突出する電子部品等の接続用ピン（図示せず）などが底板２ａに引っ掛かることが防止されるので、回路基板７を収容空間２ｊ内で円滑にスライドさせることができる。しかも、これらのスペーサ２ａ１〜２ａ５は、底板２ａからの突出高さが略等しくされており、回路基板７を収容空間２ｊ内にガタつかせずに収容することができる。
【００１９】
尚、図２では、スペーサ２ａ４及びスペーサ２ａ５を省略して図示し、図３では、スペーサ２ａ３を省略して図示している。
【００２０】
図２に示すように、ボックス本体２の底板２ａの一側縁部（図２の左側）には、側面視略コ字状に開口された切欠部２ｄが形成されており、その切欠部２ｄの底板２ａ側縁部には、略同一形状の矩形枠状体に形成された４つの係止枠２ｄ１が底板２ａの長手方向（図２の上下方向）に略等間隔で設けられている。この４つの係止枠２ｄ１は、後述するボックス蓋体３の４つの係止爪３ｄ１を回動可能かつ摺動可能に係止するためのものであり、各係止枠２ｄ１には各係止爪３ｄ１が挿入可能な係止溝２ｄ２がそれぞれ穿設されている。
【００２１】
これらの各係止溝２ｄ２は、ボックス蓋体３の４つの係止爪３ｄ１をボックス本体２の長手方向へ向けて摺動可能に係止するために、ボックス本体２の長手方向、即ち、底板２ａの長手方向幅が幅長Ｗ１の長溝状にそれぞれ形成されている。しかも、これらの各係止溝２ｄ２の長手方向両端側には、ボックス蓋体３の各係止爪３ｄ１の摺動位置を制限する制限壁２ｄ３がそれぞれ設けられている。よって、これらの各制限壁２ｄ３により、ボックス蓋体３がボックス本体２に対して相対的にスライドする際に、ボックス蓋体３の各係止爪３ｄ１の摺動量が制限され、ボックス蓋体３の相対的なスライドが規制されるのである。
【００２２】
ボックス本体２の壁板２ｂには矩形板状のロック板２ｅが外方（図２の上方）へ向けて突設される一方、ボックス本体２の壁板２ｃには後述するボックス蓋体３のロック板３ｅが係止される矩形平板状の結合板２ｆが配設されている。この結合板２ｆには後述するロック板３ｅが挿入可能な結合口２ｇが穿設されており、ボックス本体２に合致されたボックス蓋体３を矢印Ａ方向へスライドさせると、かかる結合口２ｇへロック板３ｅを挿入することができる。その結果、ボックス蓋体３のロック板３ｅはボックス本体２の結合板２ｆに係止され、ボックス本体２およびボックス蓋体３が結合されるので、かかる結合状態で、ボックス蓋体３が各係止枠２ｄ１及び後述する各係止爪３ｄ１を介して回動され開放されることを防止することができるのである。
【００２３】
また、ボックス本体２の底板２ａの他側縁部（図２の右側）には、側面視略コ字状に開口された切欠部２ｈが形成されており、この切欠部２ｈは、ボックス蓋体３がボックス本体２に覆設された場合に、基板ボックス１に収納された回路基板７に接続されるケーブル（配線部材）を導出するための導出口を構成する。
【００２４】
ボックス蓋体３は、ボックス本体２の底板２ａに対向してボックス本体２の開口面（図２の手前側）を覆う略平板状の天板３ａと、その天板３ａの長手方向（図２の上下方向）における両端に立設された一対の壁板３ｂ，３ｃと、天板３ａの一側縁部（図２右側）から外方へ傾斜した傾斜壁板３ｄとを備えている。このボックス蓋体３には、前記したボックス本体２に配設される封印ユニット２０に対向して封印ユニット３０がその側壁３ｂ，３ｃにそれぞれ配設されている。尚、ボックス封印具１０の封印ユニット３０についての説明は後述する。
【００２５】
ボックス蓋体３の傾斜壁板３ｄは、天板３ａの一側縁部（図２の右側）から傾斜しつつ延出されており、その延出部分の長手方向（図２の上下方向）縁部に上述した各係止枠２ｄ１に対応しつつ略等間隔で４つの係止爪３ｄ１がそれぞれ設けられている。これらの各係止爪３ｄ１の先端部分は略Ｊ字状にそれぞれ屈曲されて形成されており、かかる係止爪３ｄ１の先端部分を係止枠２ｄ１の係止溝２ｄ２に挿入することにより、各係止爪３ｄ１が各係止枠２ｄ１に係止されるのである。また、各係止爪３ｄ１の長手方向幅は幅長Ｗ２に形成され、各係止溝２ｄ２の幅長Ｗ１より幅狭に形成されている（Ｗ１＞Ｗ２）。このため、図３に示すように、各係止爪３ｄ１が係止された各係止溝２ｄ２内には、係止爪３ｄ１と係止溝２ｄ２の長手方向における差分長さ分の空隙Ｗ３（＝Ｗ１−Ｗ２）が設けられている。
【００２６】
よって、図３に示すように、ボックス蓋体３は、各係止爪３ｄ１が係止溝２ｄ２に挿入された場合に、係止溝２ｄ２および係止爪３ｄ１の空隙Ｗ３分だけ、その長手方向下側（図２の矢印Ａ方向）へ向けてボックス本体２に対してスライドすることができる。即ち、空隙Ｗ３は、ボックス蓋体３のボックス本体２に対する相対的なスライド量と一致するのである。
【００２７】
しかも、ボックス蓋体３のボックス本体２に対するスライド量と一致する係止溝２ｄ２および係止爪３ｄ１の空隙Ｗ３は、上述したボックス本体２の収容空間２ｊと回路基板７との空隙Ｌ３より小さくされている（Ｌ３＞Ｗ３）。よって、図３に示す状態からボックス蓋体３と共に回路基板７を矢印Ａ方向への空隙Ｗ３の長さ分スライドさせる場合に、回路基板７における壁板２ｃとの対向端（図３の下側）がボックス本体２の壁板２ｂと衝突して破損することを防止することができるのである。
【００２８】
図２に示すように、ボックス蓋体３の壁板３ｃには矩形板状のロック板３ｅが外方（図２の下方）へ向けて突設される一方、ボックス蓋体３の壁板３ｂには上述したボックス本体２のロック板２ｅが係止される矩形平板状の結合板３ｆが配設されている。この結合板３ｆには上述したロック板２ｅが挿入可能な結合口３ｇが穿設されており、ボックス本体２に合致されたボックス蓋体３を矢印Ａ方向へスライドさせると、かかる結合口３ｇへロック板２ｅを挿入することができる。その結果、ボックス本体２のロック板２ｅはボックス蓋体３の結合板３ｆに係止され、ボックス本体２およびボックス蓋体３が結合されるので、かかる結合状態で、ボックス蓋体３が各係止枠２ｄ１及び後述する各係止爪３ｄ１を介して回動され開放されることを防止することができるのである。
【００２９】
ボックス蓋体３の壁板３ｃの内側面には略Ｌ字板状の内壁板３ｈが隣接して形成されている。この内壁板３ｈは、天板３ａから回路基板７側へ向けて立設されており、その端部が壁板３ｃの端部より突出して形成されている。このため、ボックス蓋体３がボックス本体２に覆設された場合に、内壁板３ｈの端部はボックス本体２の壁板２ｃ前端より底板２ａ側へ突出するのである。
【００３０】
よって、ボックス本体２に覆設されたボックス蓋体３を矢印Ａ方向へスライドした場合に、内壁板３ｈ端部をボックス本体２の壁板２ｃ前端に引っ掛けることができる。このように、内壁板３ｈが壁板２ｃに引っ掛かることにより、ボックス蓋体３の矢印Ａ方向へのスライドを停止させることができ、ボックス蓋体３をボックス本体２に確実に合致させることができる。
【００３１】
また、上述した傾斜壁板３ｄにおけるボックス蓋体３の長手方向両側近傍には、天板３ａ側端（図２左側）から係止爪３ｄ１側端（図２右側）へ向けて略円柱状の位置決め部材４，４がそれぞれ立設されている。この一対の位置決め部材４，４は、後述する回路基板７をボックス蓋体３の所定位置に位置決めするためのものである。位置決め部材４，４は、ボックス蓋体３に一体成形されており、ボックス蓋体３と同様に、耐衝撃性を有するポリカーボネート樹脂等の合成樹脂等で構成されている。
【００３２】
位置決め部材４，４は、その先端（図２の右側）に略円柱状の位置決め突起４ａ，４ａがそれぞれ突設されている。これらの位置決め突起４ａ，４ａは、その外形が後述する回路基板７に穿設される位置決め穴７ｇ，７ｇの開口形状に適合して形成されており、かかる位置決め穴７ｇ，７ｇに嵌合可能に形成されている。よって、位置決め突起４ａ，４ａが回路基板７の位置決め穴７ｇ，７ｇに嵌合することにより、回路基板７をボックス蓋体３に位置決めすることができる。しかも、かかる位置決め部材４，４が回路基板７の各位置決め穴７ｇ，７ｇに嵌合することにより、回路基板７はボックス蓋体３に引っ掛けられるので、ボックス蓋体３がスライドされる場合に、ボックス蓋体３と共に回路基板７をボックス本体２の収容空間２ｊ内で矢印Ａ方向へ向けてスライドさせることができるのである。
【００３３】
また、各位置決め部材４，４の各位置決め突起４ａ，４ａは、その突出長さが回路基板７の板厚より小さく形成されており、回路基板７の位置決め穴７ｇ，７ｇ内に嵌合される場合に、回路基板７の半田面７２側から突出することが防止されている（図３参照）。よって、ボックス蓋体３と共に回路基板７をボックス本体２の収容空間２ｊ内でスライドさせる場合に、位置決め部材４，４の各位置決め突起４ａ，４ａがボックス本体２の底板２ａなどに引っ掛かることが防止されるので、回路基板７を収容空間２ｊ内で円滑にスライドさせることができるのである。
【００３４】
ボックス蓋体３における傾斜壁板３ｄの反対側縁部（図２の左側）には、その長手方向（図２の上下方向）のほぼ全域に、天板３ａから回路基板７側へ向けて仕切部材５が立設されている。この仕切部材５は、ボックス本体２と一体成形されており、ボックス本体２と同様に、耐衝撃性を有するポリカーボネート樹脂等の合成樹脂等で構成されている。
【００３５】
仕切部材５は、ボックス蓋体３の天板３ａに対して略直角方向へ向けて連接されつつ立設される略板状の遮蔽壁５ａと、その遮蔽壁５ａにおける天板３ａの反対側端部からボックス蓋体３の外方（図２の左方）へ向けて略直角に延出される略平板状の覆設板５ｂとを備えている。仕切部材５は、基板ボックス１内に回路基板７が収納された場合に、回路基板７におけるコネクタ７ｂ〜７ｆ配置側縁部に配置されるように構成されており、その遮蔽壁５ａにより基板ボックス１の内外部を仕切り、基板ボックス１の外部からの回路基板７への接触行為を防止することができる。
【００３６】
遮蔽壁５ａは、その長手方向（図２の上下方向）両側に、ボックス蓋体３をボックス本体２に固定するビス９，９が挿入可能な通穴５ｃ，５ｃがそれぞれ穿設されている。各通穴５ｃ，５ｃは、ボックス蓋体３の天板３ａ外面（図２の裏側面）から仕切部材５の覆設板５ｂ側端面（図２の手前側面）に貫通してそれぞれ穿設されるとともに、後述する回路基板７の各通穴７ａ，７ａにそれぞれ対応して穿設されている。よって、基板ボックス１内に回路基板７が収納された場合には、図４に示すように、ビス９，９を各通穴５ｃ，５ｃにそれぞれ挿入することにより、これらのビス９，９のねじ部先端は、回路基板７の各通穴７ａ，７ａを通過しボックス本体２の底板２ａに到達するので、各ビス９，９をボックス本体２の底板２ａにねじ込み、仕切部材５を介してボックス蓋体３及び回路基板７をボックス本体２にまとめてねじ止めすることができる。
【００３７】
また、図２に示すように、仕切部材５の覆設板５ａには、回路基板７との当接面（図２手前側面）に正面視略矩形状に形成された５つのコネクタ口５ｄ〜５ｈが穿設されている。この各コネクタ口５ｄ〜５ｈは、その断面形状が後述する回路基板７に配置された５つのコネクタ７ｂ〜７ｆの外形に適合してそれぞれ形成されており、かかるコネクタ７ｂ〜７ｆが挿嵌可能に形成されている。
【００３８】
よって、図４に示すように、仕切部材５が回路基板７の縁部（図４の右側）に配置される場合には、回路基板７の各コネクタ７ｂ〜７ｆを仕切部材５の各コネクタ口５ｄ〜５ｈに挿嵌された各コネクタ７ｂ〜７ｆを基板ボックス１の外部に露出させることができるのである。しかも、覆設板５ｂは、その各コネクタ口５ｄ〜５ｈの断面形状が各コネクタ７ｂ〜７ｆの外形に適合して形成されているので、各コネクタ口５ｄ〜５ｈから回路基板７における各コネクタ７ｂ〜７ｆ以外の部分を覆い隠して、回路基板７への接触行為を防止することができる。
【００３９】
また、これらのコネクタ口５ｄ〜５ｈは、その断面形状が回路基板７の各コネクタ７ｂ〜７ｆの外形に適合して形成されているので、これらの各コネクタ７ｂ〜７ｆが挿嵌されることにより、回路基板７を仕切部材５の所定位置に位置決めすることもできる。しかも、回路基板７は、そのコネクタ７ｂ〜７ｆ及び覆設板５ｂのコネクタ口５ｄ〜５ｈを介して、仕切部材５に引っ掛けられるので、ボックス蓋体３がスライドされる場合に、ボックス蓋体３及び仕切部材５と共に回路基板７をボックス本体２の収容空間２ｊ内で矢印Ａ方向へ向けてスライドさせることができるのである。
【００４０】
仕切部材５の長手方向（図２の上下方向）両側近傍には、天板３ａ側端（図２の左側）から覆設板５ｂ側端（図２の右側）へ向けて略円柱状の位置決め部材６，６がそれぞれ立設されている。この一対の位置決め部材６，６は、後述する回路基板７を仕切部材５の所定位置に位置決めするためのものである。位置決め部材６，６は、ボックス蓋体３及び仕切部材５に一体成形されており、ボックス蓋体３及び仕切部材５と同様に、耐衝撃性を有するポリカーボネート樹脂等の合成樹脂等で構成されている。
【００４１】
位置決め部材６，６は、その先端（図２の右側）に略円柱状の位置決め突起６ａ，６ａがそれぞれ突設されている。これらの位置決め突起６ａ，６ａは、その外形が後述する回路基板７に穿設される位置決め穴７ｈ，７ｈの開口形状に適合して形成されており、かかる位置決め穴７ｈ，７ｈに嵌合可能に形成されている。よって、位置決め突起６ａ，６ａが回路基板７の位置決め穴７ｈ，７ｈに嵌合することにより、回路基板７を仕切部材５の所定位置に位置決めすることができる。しかも、かかる位置決め部材６，６が回路基板７の各位置決め穴７ｈ，７ｈに嵌合することにより、回路基板７はボックス蓋体３及び仕切部材５に引っ掛けられるので、ボックス蓋体３及び仕切部材５がスライドされる場合に、これらと共に回路基板７をボックス本体２の収容空間２ｊ内で矢印Ａ方向へ向けてスライドさせることができるのである。
【００４２】
このように、仕切部材５が一体成形されたボックス蓋体３によれば、上述した位置決め部材４，４及び位置決め部材６，６により、回路基板７の四隅が位置決めされるので、回路基板７をガタつかせることなくボックス蓋体３に仮止めすることができるのである。
【００４３】
しかも、かかる位置決め部材４，４及び位置決め部材６，６は、その位置決め突起４ａ，４ａ及び位置決め突起６ａ，６ａが回路基板７の各位置決め穴７ｇ，７ｇ及び位置決め穴７ｈ，７ｈにそれぞれ嵌合され、回路基板７の四隅を位置決めするので、ボックス蓋体３がボックス本体２に対して相対的にスライドされる場合に、収容空間２ｊ内でスライドされる回路基板７がそのスライド方向に対して傾きズレることを防止して、円滑にスライドさせることができる。
【００４４】
また、各位置決め部材６，６の各位置決め突起６ａ，６ａは、その突出長さが回路基板７の板厚より小さく形成されており、回路基板７の位置決め穴７ｈ，７ｈ内に嵌合される場合に、回路基板７の半田面７２側から突出することが防止されている。よって、ボックス蓋体３と共に回路基板７をボックス本体２の収容空間２ｊ内でスライドさせる場合に、位置決め部材６，６の各位置決め突起６ａ，６ａがボックス本体２の底板２ａなどに引っ掛かることが防止されるので、回路基板７を収容空間２ｊ内で円滑にスライドさせることができるのである。
【００４５】
回路基板７は、ボックス蓋体３の天板３ａと対向する部品面７１にパチンコ機５０の遊技内容に関する制御プログラムやデータを記憶したＲＯＭ等の電子部品（図示せず）が搭載されるものであり、矩形薄板状に形成されている。この回路基板７は、仕切部材５に対向する縁部（図２の左側）における長手方向（図２の上下方向）両端近傍に上述したビス９，９が挿入可能な２つの通穴７ａ，７ａがそれぞれ穿設されている。また、回路基板７の部品面７１における仕切部材５との対向部分（図２の左側）には複数（５個）の雄型のコネクタ７ｂ〜７ｆが配置されている。これらのコネクタ７ｂ〜７ｆは、図４に示すように、仕切部材５が回路基板７の右側縁部に配置される場合に、仕切部材５の各コネクタ口５ｄ〜５ｈに挿嵌可能にそれぞれ形成されている。よって、かかる各コネクタ７ｂ〜７ｆを仕切部材５の各コネクタ口５ｄ〜５ｈに挿嵌することにより、各コネクタ７ｂ〜７ｆを基板ボックス１の外部に露出させることができるのである。
【００４６】
また、図２に示すように、回路基板７の上部に配置されるコネクタ７ｂは、アース線（配線部材）の一端に配設される雌型のコネクタＢが嵌合可能に形成されている。また、他のコネクタ７ｃ〜７ｆには、フラットケーブル（配線部材）の一端に配設される雌型のコネクタＣ〜Ｆが嵌合可能に形成されている。尚、図２では、アース線およびフラットケーブルの図示を省略している。
【００４７】
また、回路基板７の一側縁部（図２右側）には、上述した位置決め部材４，４の各位置決め突起４ａ，４ａに対応して、開口形状が略円形状の位置決め穴７ｇ，７ｇがそれぞれ突設される一方、回路基板７の他側縁部（図２左側）には、上述した位置決め部材６，６の各位置決め突起６ａ，６に対応して、開口形状が略円形状の位置決め穴７ｈ，７ｈがそれぞれ突設されている。位置決め穴７ｇ，７ｇは、その開口形状が上述した位置決め突起４ａ，４ａの外形に適合して形成されており、かかる位置決め突起４ａ，４ａを嵌合可能に形成されている。一方、位置決め穴７ｈ，７ｈは、その開口形状が上述した位置決め突起６ａ，６ａの外形に適合して形成されており、かかる位置決め突起６ａ，６ａを嵌合可能に形成されている。
【００４８】
また、ボックス本体２の底板２ａの裏面には、遊技機５０に配設される取付部材５３（図１参照）に基板ボックス１を掛止するためのボックスロック板８が取着される。このボックスロック板８は透明なＡＢＳ樹脂等の合成樹脂等で略台形薄板状に形成されており、ボックス本体２の底板２ａの裏面（図２の奥側）にねじ止め等により取着されている。
【００４９】
図４は、基板ボックス１の組立後の外観斜視図である。図４に示すように、ボックス蓋体３の前面上下部分には上述したビス９，９が挿入可能な５ｃ，５ｃがそれぞれ穿設されている。この各通穴５ｃ，５ｃは、上述した回路基板７の各通穴７ａ，７ａに対応して穿設されており、ボックス本体２にボックス蓋体３を覆設した場合に、ボックス蓋体３の天板３ａ外面側（図４の手前側面）から各通穴５ｃ，５ｃへそれぞれ挿入されたビス９，９を回路基板７の各通穴７ａ，７ａを通過させてボックス本体２の底板２ａにねじ込み、ボックス蓋体３、仕切部材５及び回路基板７をボックス本体２にまとめて固定することができる。
【００５０】
ボックス蓋体３における各通穴５ｃ，５ｃが穿設された部分には、封印シール１０，１０が貼付されている。この封印シール１０，１０は、特殊な粘着材が塗布されたシール材で構成されており、この封印シール１０，１０が貼付された後に剥がされると、シール材から粘着材が剥がれてしまう。よって、一度剥がされた封印シール１０，１０を再度貼付することができないので、封印シール１０，１０が不正に剥がされた場合には、かかる不正行為を容易に発見することができるのである。
【００５１】
また、封印シール１０，１０は、ボックス本体２とボックス蓋体３とに跨って貼付され、基板ボックス１の開封を防止するように貼付される。この場合、各封印シール１０，１０は各通穴５ｃ，５ｃに覆い被さるように貼付されるので、各通穴５ｃ，５ｃに挿入されたビス９，９の抜き取り行為を防止することができるのである。
【００５２】
次に、図５から図７を参照して基板ボックス１に配設されたボックス封印具１０について説明する。図５は、基板ボックス１に配設されたボックス封印具１０の拡大斜視図である。図５に示すように、ボックス封印具１０は、基板ボックス１を封印するための封印ねじ１１と、その封印ねじ１１が螺入されるナット１２と、封印ねじ１１を係止するための係止座金（抜け止め手段）１３と、ナット１２および係止座金１３が配置される４つの封印部材２１を有する封印ユニット２０と、各封印部材２１に対向してボックス蓋体３に配設される４つの封印部材３１を有する封印ユニット３０と、封印ねじ１１の予備用の部材である予備ねじ１４とを備えている。
【００５３】
封印ねじ１１は、封印ユニット２０，３０における各封印部材２１，３１を連結するためのものであり、ステンレス鋼材等の金属材料で構成されている。封印ねじ１１は、封印部材２１，３１に挿入される略円柱状の軸部１１ａを備え、その軸部１１ａの先端部１１ｃには係止座金１３の内孔１３ｂを押し広げるための先細状のテーパ部Ｔ１が形成され、そのテーパ部Ｔ１の上部には係止座金１３の内孔１３ｂが填り込み可能な係止溝１１ｆが周設されている。
【００５４】
この係止溝１１ｆの上部にはおねじの螺刻されたおねじ部１１ｄが形成されており、おねじ部１１ｄはナット１２内に螺刻されためねじ部１２ｃに螺合可能に形成されている。また、おねじ部１１ｄの上部には円柱状の非おねじ部１１ｅが形成されており、非おねじ部１１ｅの外径はナット１２のめねじ部１２ｃの内径より小さく形成されている。よって、封印ねじ１１がナット１２に螺入され基板ボックス１が封印された場合、封印ねじ１１の非おねじ部１１ｅをナット１２のめねじ部１２ｃ内に挿設することができる（図７参照）。
【００５５】
軸部１１ａの上端には略半球状の頭部１１ｂが一体成形されている。頭部１１ｂは、その外径が軸部１１ａの外径より大きく形成され、封印部材３１の係合穴３１ａに係合可能に形成されている。また、頭部１１ｂの上面には、スクリュードライバ等のねじ回し工具が係合可能な上面視略十字状の係合溝１１ｇが凹設されている。よって、この係合溝１１ｇにスクリュードライバ等のねじ回し工具を係合させることにより、封印ねじ１１をねじ込み方向および反ねじ込み方向の双方に回転することができる。尚、封印ねじ１１と予備ねじ１４は略同一形状に形成されているので、予備ねじ１４の説明は省略する。
【００５６】
ナット１２は、封印ねじ１１および係止座金１３を封印部材２１内に保持するためのものであり、封印部材２１に嵌合可能に形成されている。ナット１２は、真鍮等の金属材料から構成されており、略円盤状に形成されたナット頭部１２ａと、そのナット頭部１２ａより外径が小さく形成された略円柱状の円筒部１２ｂと、封印ねじ１１のおねじ部１１ｄに螺合可能なめねじが形成されためねじ部１２ｃと、そのめねじ部１２ｃに連通して穿設された保持穴１２ｄ（図７参照）とを備えている。
【００５７】
ナット頭部１２ａは、封印部材２１の嵌合穴２１ａに嵌合可能に形成されており、そのナット頭部１２ａの下方に形成された円筒部１２ｂは、封印部材２１の嵌合穴２１ｂに嵌合可能に形成されている。この円筒部１２ｂの外周面にはローレット切りが施されているので、嵌合穴２１ｂに嵌合された際に円筒部１２ｂの外周面を嵌合穴２１ｂの内壁に引っ掛かけることができる。よって、ナット１２を嵌合穴２１ｂ内に保持することができ、ナット１２の抜き取りを抑制することができる（図７参照）。
【００５８】
係止座金１３は、封印ねじ１１の係止溝１１ｆを介して、封印ねじ１１を封印部材２１内に係止するためのものであり、バネ鋼材等を用いて上面視略Ｏ字形に形成されたプッシュナットである。係止座金１３は、その略中央部分に略すり鉢状に凹設された受け部１３ａを有しており、この受け部１３ａの略中央部分には、略円形状の内孔１３ｂが穿設されている。このため、この係止座金１３の受け部１３ａは、封印ねじ１１の先端部１１ｃを、内孔１３ｂへと案内することができる。
【００５９】
受け部１３ａには、複数の切欠が略等配分で設けられており、かかる切欠は内孔１３ｂに連通して形成されている。よって、係止座金１３の内孔１３ｂに封印ねじ１１の先端部１１ｃが挿入された場合に、先端部１１ｃのテーパ部Ｔ１を介して受け部１３ａを弾性変形させて、係止座金１３の内孔１３ｂを押し広げることができるのである。尚、係止座金１３は、封印部材２１の嵌合穴２１ｂ内であって、ナット１２の下方に配置される（図７参照）。
【００６０】
封印ユニット２０は、封印ねじ１１および封印ユニット３０を介して、基板ボックス１を封印するためのものである。封印ユニット２０は、ボックス本体２と同様に、ポリカーボネート樹脂等の耐衝撃性を有する透明な合成樹脂材料で形成されており、ボックス本体２の側壁２ｂ，２ｃにそれぞれ配設されている（図２参照）。この封印ユニット２０は、ナット１２および係止座金１３が配置される４つの封印部材２１と、各封印部材２１とボックス本体２の側壁２ｂ（側壁２ｃ）とを互いに連結する４つの連結部材２２と、封印ねじ１１の予備用の部材である予備ねじ１４を保持するために設けられた３つの予備ねじ保持部材２３とを備えている。
【００６１】
封印部材２１は、略円柱状に形成されており、その一部が平板状の連結部材２２によりボックス本体２の側壁２ｂに連結されている。連結部材２２により連結された封印部材２１とボックス本体２の側壁２ｂとの間には、ニッパ等の工具の刃先が入り込むことが可能な間隔が形成されており、連結部材２２を切断して封印部材２１を除去する場合に、ニッパ等の工具を用いて連結部材２２を容易に切断することができる。尚、図２に示すように、ボックス本体２の側壁２ｃにも同様に、連結部材２２により封印部材２１が連結されている。
【００６２】
図５に示すように、ボックス本体２の側壁２ｂに配設された４つの封印部材２１のうち、図５の右側に配設された３つの封印部材２１の外周面の一側（図５の左側）には予備ねじ保持部材２３がそれぞれ一体に形成されている。この予備ねじ保持部材２３は、予備ねじ１４を保持するためのものであり、その上面には、予備ねじ１４を挿入可能に形成された予備ねじ保持穴２３ａが穿設されている。予備ねじ保持穴２３ａは略Ｃ字形に形成されており、その一部には切欠が設けられている。よって、予備ねじ保持穴２３ａ内への予備ねじ１４の挿入に伴って、予備ねじ保持穴２３ａの内径を拡大することができる。尚、図２に示すように、ボックス本体２の側壁２ｃに配設された封印ユニット２０にあっては、４つの封印部材２１のうち、右側（図２の右側）に配設された３つの封印部材２１の外周面の左側（図２の左側）に、予備ねじ保持部材２３がそれぞれ一体に形成されている。
【００６３】
封印部材２１の上面部分、即ち、封印部材３１との当接面（対向面）であって、側壁２ｂ側の半周部分には、上面視略Ｃ字状の周壁２４が上方へ向けて凸設されている。この周壁２４は封印部材３１の下面外周に凹設された嵌合溝３５（図６参照）に適合して形成されており、ボックス蓋体３がボックス本体２に覆設され封印部材２１，３１が合致された場合に、かかる周壁２４を封印部材３１の嵌合溝３５に填め込むことができる。また、封印部材２１の上面部分であって、側壁２ｂと反対側の半周部分には、上面視略Ｃ字状の段差である嵌合溝２５が凹設されている。この嵌合溝２５は封印部材３１の下面外周に凸設された周壁３４に適合して形成されており、ボックス蓋体３がボックス本体２に覆設され封印部材２１，３１が合致された場合に、かかる嵌合溝２５に封印部材３１の周壁３４を填め込むことができる。
【００６４】
尚、ボックス本体２の側壁２ｃに配設された封印ユニット２０の各封印部材２１では、周壁２４は、封印部材３１との当接面であって、側壁２ｃの反対側の半周部分に凸設され、かつ、嵌合溝２５は封印部材３１との当接面であって、側壁２ｃ側の半周部分に凹設されている。
【００６５】
封印ユニット３０は、封印ねじ１１と封印ユニット２０とを介して、基板ボックス１を封印するためのものである。封印ユニット３０は、ボックス蓋体３と同様に、ポリカーボネート樹脂等の耐衝撃性を有する透明な合成樹脂材料で形成されており、基板ボックス１のボックス蓋体３の側壁３ｂ、３ｃにそれぞれ配設されている。この封印ユニット３０は、封印ねじ１１が係合される４つの封印部材３１と、各封印部材３１とボックス蓋体３の側壁３ｂ（側壁３ｃ）とを互いに連結するための４つの連結部材３２と、予備ねじ１４の頭部１１ｂの上方を覆う３つの予備ねじ保持板３３とを備えている。
【００６６】
各封印部材３１は、それぞれ略円柱状に形成されており、封印ユニット２０の各封印部材２１のそれぞれと対向しつつ、連結部材３２によりボックス蓋体３の側壁３ｂに連結されている。また、連結部材３２により連結された封印部材３１とボックス蓋体３の側壁３ｂとの間には、ニッパ等の工具の刃先が入り込むことが可能な間隔が形成されている。よって、連結部材３２を切断して封印部材３１を除去する場合に、ニッパ等の工具を用いて連結部材３２を容易に切断することができる。尚、図２に示すように、ボックス蓋体３の側壁３ｃにも同様に、連結部材３２により封印部材３１が連結されている。
【００６７】
各封印部材３１の上面には、封印ねじ１１の頭部１１ｂと係合される係合穴３１ａと、その係合穴３１ａに連通した挿入穴３１ｂ（図７参照）とが穿設されている。係合穴３１ａの内径は、封印ねじ１１の頭部１１ｂの外径より大きく形成されており、その深さ、即ち、封印部材３１の上面から係合穴３１ａの底面までの長さは、封印ねじ１１の頭部１１ｂの長さより大きく形成されている。よって、封印ねじ１１の頭部１１ｂを封印部材３１の上面から突出させることなく、封印部材３１の係合穴３１ａ内に係合させることができる（図７参照）。
【００６８】
図５に示すように「、ボックス蓋体３の側壁３ｂに配設された４つの封印部材３１のうち、図５の左側に配設された３つの封印部材３１の外周面の一側（図５の右側）には、略平板状の予備ねじ保持板３３がそれぞれ一体に形成されている。この予備ねじ保持板３３は、予備ねじ保持部材２３に保持された予備ねじ１４の頭部１１ｂを上方から押さえるためのものである。各予備ねじ保持板３３の上面には、「２」から「４」までの番号表示Ｋがそれぞれ表示されている。各番号表示Ｋは、封印ユニット３０の成形と同時に型枠を用いて形成されており、各一対の封印部材２１，３１が封印される順番を表している。尚、この各番号表示Ｋを付す方法としては、「２」から「４」の数字を印刷した合成樹脂等のシート等を各予備ねじ保持板３３の上面に貼付等したりしても良い。
【００６９】
各予備ねじ保持板３３は、それらが形成されている各封印部材３１に対向する封印部材２１の右側に隣接する封印部材２１の予備ねじ保持部材２３に保持されている予備ねじ１４を上方から押さえることができる。例えば、「２」の番号表示Ｋが付された予備ねじ保持板３３は、その右側に隣接する（側壁３ｂの最も右側に位置する）封印部材３１と対向する封印部材２１の予備ねじ保持部材２３に保持された予備ねじ１４の頭部１１ｂの上方に覆設され、予備ねじ１４を押さえることができる。
【００７０】
また、予備ねじ保持板３３及び予備ねじ保持部材２３により保持された予備ねじ１４を取り出す場合には、封印ねじ１１により連結された封印部材２１，３１における連結部材２２及び連結部材３２を切断すると、その封印部材２１，３１が基板ボックス１から外され、その封印部材２１の予備ねじ保持部材２３に保持された予備ねじ１４が予備ねじ保持板３３から離れる。その結果、切断された封印部材２１の予備ねじ保持穴２３ａから予備ねじ１４を容易に取り外すことができるとともに、かかる予備ねじ１４を用いて、別の封印部材２１，３１を連結して、基板ボックス１を再度封印することができる。
【００７１】
尚、図２に示すように、ボックス蓋体３の側壁３ｃに配設された封印ユニット３０にあっては、４つの封印部材３１のうち、右側（図２の右側）に配設された３つの封印部材３１の外周面の左側（図２の左側）に、予備ねじ保持板３３がそれぞれ一体に形成されている。
【００７２】
図６は、天板３ａを下方へ向けた状態のボックス蓋体３の部分的拡大図である。図６に示すように、封印部材３１の上面部分、即ち、封印部材２１との当接面（対向面）であって、側壁３ｂと反対側の半周部分には、上面視略Ｃ字状の周壁３４が上方へ向けて凸設されている。この周壁３４は封印部材２１に凹設された嵌合溝２５（図５参照）に適合して形成されており、ボックス蓋体３がボックス本体２に覆設され封印部材２１，３１が合致された場合に、かかる周壁３４を封印部材３１の嵌合溝２５に填め込むことができる。また、封印部材３１の上面部分であって、側壁３ｂ側の半周部分には、上面視略Ｃ字状の段差である嵌合溝３５が凹設されている。この嵌合溝３５は封印部材２１に凸設された周壁２４に適合して形成されており、ボックス蓋体３がボックス本体２に覆設され封印部材２１，３１が合致された場合に、封印部材２１の周壁２４を填め込むことができるのである。
【００７３】
尚、ボックス蓋体３の側壁３ｃに配設された封印ユニット３０の各封印部材３１では、周壁３４は封印部材２１との当接面であって、側壁３ｃ側の半周部分に凸設され、かつ、嵌合溝３５は封印部材２１との当接面であって、側壁３ｃと反対側の半周部分に凹設されている。
【００７４】
図７は、基板ボックス１を封印した状態におけるボックス封印具１０の部分断面図であり、図中の矢印Ａはボックス蓋体３のスライド方向を示している。図７に示すように、上述したナット１２および係止座金１３は、封印部材２１の内部に配置されており、ナット１２の円筒部１２ｂの下方にストッパ材１３が配置されている。ナット１２のめねじ部１２ｃの内径は、封印ねじ１１の非おねじ部１１ｅの外径と比較して大きく形成されており、めねじ部１２ｃ内に非おねじ部１１ｅを挿設することができる。また、保持穴１２ｄは、めねじ部１２ｃと連通して穿設されており、その内径は封印ねじ１１のおねじ部１１ｄの外径より大きく形成されている。よって、封印ねじ１１がナット１２のめねじ部１２ｃに螺入されて基板ボックス１が封印された場合、封印ねじ１１のおねじ部１１ｄを保持穴１２ｄ内に挿設することができる。
【００７５】
封印部材２１の内部には、内径の異なる複数の同心状の嵌合穴２１ａ，２１ｂ，２１ｃが連通してそれぞれ形成されており、これらの内径は嵌合穴２１ａ，２１ｂ，２１ｃの順に大きく形成されている。嵌合穴２１ａは、封印部材２１の上面に形成されており、ナット１２のナット頭部１２ａが嵌合可能に形成されている。この嵌合穴２１ａの深さ、即ち、封印部材２１の上面から嵌合穴２１ａの底面までの長さはナット１２のナット頭部１２ａの厚さ（軸方向長さ）と略同一に形成されている。よって、嵌合穴２１ａに嵌合されたナット１２の上端部が封印部材２１の上面から突出することを防止することができる。従って、ボックス蓋体３をボックス本体２に対して矢印Ａ方向へスライドさせる際に、封印部材３１の下面部分がナット１２の上端部分に引っ掛かることが防止されるので、ボックス蓋体３を滑らかにスライドさせて、封印部材２１，３１を合致させることができる。
【００７６】
嵌合穴２１ｂは、嵌合穴２１ａに連通して形成されており、ナット１２の円筒部１２ｂが嵌合可能に形成されている。この嵌合穴２１ｂの深さ、即ち、嵌合穴２１ａの底面から嵌合穴２１ｂの底面までの長さは、ナット１２の円筒部１２ｂの軸方向長さより大きく形成されており、円筒部１２ｂの下面と嵌合穴２１ｂの底面との間に係止座金１３を保持する空間を形成することができる。また、嵌合穴２１ｂと嵌合穴２１ｃとの連結部分には、面取り部Ｃが形成されており、係止座金１３の受け部１３ａが嵌合される。よって、係止座金１３は、面取り部Ｃを介して嵌合穴２１ｂの底面に位置決めされるとともに、ナット１２の円筒部１２ｂ下面により押さえ付けられることがない。従って、係止座金１３の内孔１３ｂ内に封印ねじ１１の先端部１１ｃを容易に挿入することができるとともに、係止座金１３を容易に弾性変形させることができる。
【００７７】
嵌合穴２１ｃは、嵌合穴２１ｂに連通して形成されており、封印ねじ１１の先端部１１ｃが嵌合可能に形成されている。この嵌合穴２１ｃの深さ、即ち、嵌合穴２１ｂの底面から嵌合穴２１ｃの底面までの長さは、封印ねじ１１の先端部１１ｃの軸方向長さより大きく形成されており、嵌合穴２１ｃの底面に封印ねじ１１の先端部１１ｃ下面を当接させてしまうことがない。
【００７８】
また、上述した封印部材３１の挿入穴３１ｂの内径は、封印ねじ１１の頭部１１ｂの外径より小さく形成されるとともに、封印ねじ１１のおねじ部１１ｄの外径より大きく形成されている。よって、封印ねじ１１のおねじ部１１ｄを挿入穴３１ｂを貫通させて、ナット１２のめねじ部１２ｃに螺合させることができる。また、封印ねじ１１の係止溝１１ｆが係止座金１３により係止されて封印ねじ１１が封印部材２１内に取り外し不可能な状態で保持された場合、封印ねじ１１の頭部１１ｂは係合穴３１ａ内に係合される。従って、封印部材２１，３１は封印ねじ１１により分離不可能に連結され、基板ボックス１は開封不可能な状態で封印することができるのである。
【００７９】
図７に示すように、封印部材２１，３１が対向しつつ合致され封印ねじ１１により連結された場合、封印部材２１の上面部分に凸設された周壁２４は、封印部材３１の下面部分に凹設された嵌合溝３５に填り込み、封印部材３１の下面部分に凸設された周壁３４は、封印部材２１の上面部分に凹設された嵌合溝２５に填り込んでいる。よって、封印部材２１，３１の当接面の間、即ち、周壁２４と嵌合溝３５との当接面の間、又は、周壁３４と嵌合溝２５との当接面の間へ薄板状の工具等を差し込み、封印ねじ１１をナット１２および係止座金１３ごと封印部材２１から引き抜き、基板ボックス１を開封しようとしても、薄板状の工具等の先端部分が周壁２４，３４又は嵌合溝２５，３５に引っ掛かるので、その差し込みを防止することができる。
【００８０】
例えば、図７の右側部分における嵌合溝２５と周壁３４との当接面の間へ薄板状の工具等を差し込んで、封印ねじ１１をナット１２および係止座金１３ごと封印部材２１から引き抜き、基板ボックス１を開封しようとしても、薄板状の工具等の先端部分が嵌合溝２５に当たるので、薄板状の工具等の差し込みを防止することができる。従って、基板ボックス１のこじ開けが防止されて、基板ボックス１に収納された回路基板７からＲＯＭ等を取り外して交換し、パチンコ機５０の遊技内容を変更する不正行為を防止することができるのである。
【００８１】
図８は、予備ねじ１４を保持した状態におけるボックス封印具１０の部分断面図である。図８に示すように、上述した予備ねじ保持部材２３の予備ねじ保持穴２３ａは、予備ねじ保持部材２３の上端面側の内径（上端側内径）より、予備ねじ保持部材２３の下端面側の内径（下端側内径）を小さくしたテーパ部Ｔ２を有しており、その上端側内径は、予備ねじ１４のおねじ部１１ｄの外径と比較して大きく形成されている。よって、このテーパ部Ｔ２を介して、予備ねじ１４を予備ねじ保持穴２３ａ内へ容易に挿入することができる。また、予備ねじ保持穴２３ａの下端側内径は、予備ねじ１４のおねじ部１１ｄの外径と比較して小さく形成されている。よって、予備ねじ１４を予備ねじ保持穴２３ａへ挿入した場合、予備ねじ１４の頭部１１ｂの下端面と予備ねじ保持部材２３の上端面とが当接するまで、予備ねじ１４が押し込まれると、予備ねじ保持穴２３ａの下端部分と予備ねじ１４のおねじ部１１ｄとが係合して、予備ねじ１４を予備ねじ保持穴２３ａ内に取り外し可能な状態で保持することができる。
【００８２】
また、上述した封印部材３１の予備ねじ保持板３３は、予備ねじ保持部材２３に保持された予備ねじ１４の頭部１１ｂの上方に覆設されており、予備ねじ保持板３３の下面と予備ねじ１４の頭部１１ｂの頂部とは当接している。よって、予備ねじ１４の頭部１１ｂは予備ねじ保持板３３により押さえられているので、予備ねじ１４の抜け落ちが防止され、予備ねじ１４の紛失を防止することができる。また、予備ねじ保持部材２３に保持された予備ねじ１４の頭部１１ｂを掴んで、予備ねじ１４を上方へ抜き取る不正行為等を防止することができる。尚、図８中の矢印Ａはボックス蓋体３のスライド方向を示している。
【００８３】
次に、上記のように構成された基板ボックス１による回路基板７の収納方法について説明する。まず、ボックス蓋体３の仕切部材５形成側面（図２の手前側面）と回路基板７の部品面７１側（図２の裏側面）とを対向させて、回路基板７の位置決め穴７ｇ，７ｇに位置決め部材４，４の位置決め突起４ａ，４ａを対向させる一方、回路基板７の位置決め穴７ｈ，７ｈに位置決め部材６，６の位置決め突起６ａ，６ａを対向させる。その後、回路基板７の位置決め穴７ｇ，７ｇに位置決め突起４ａ，４ａをそれぞれ嵌合させる一方、回路基板７の位置決め穴７ｈ，７ｈに位置決め突起６ａ，６ａをそれぞれ嵌合させて、回路基板７をボックス蓋体３及び仕切部材５の所定位置に位置決めする。
【００８４】
この位置決め部材４，４，６，６による位置決めに伴って、回路基板７は、そのコネクタ７ｂ〜７ｆが仕切部材５のコネクタ口５ｄ〜５ｈに挿嵌され、その部品面７１におけるコネクタ７ｂ〜７ｆの配置側縁部（図２の左側）が、長手方向（図２の上下方向）全域に亘って仕切部材５の覆設板５ｂにより覆われる（図４参照）。よって、かかる仕切部材５の覆設板５ｂにより回路基板７におけるコネクタ７ｂ〜７ｆ配置側縁部への接触行為を防止することができるのである。
【００８５】
一方、ボックス本体２の側壁２ｂ，２ｃにそれぞれ配設された各封印部材２１の嵌合穴２１ｂ内に係止座金１３を挿入し、その後ナット１２を嵌合穴２１ａ，２１ｂ内にそれぞれ嵌合させる。また、各封印ユニット２０の各封印部材２１に設けられた予備ねじ保持穴２３ａ内に予備ねじ１４をそれぞれ挿入する。各予備ねじ１４が各予備ねじ保持穴２３ａ内に完全に挿入された後、ボックス蓋体３の回路基板７側面にボックス本体２を対向させる。
【００８６】
ボックス本体２をボックス蓋体３に対向させた後、ボックス蓋体３の各係止爪３ｄ１の先端部分をボックス本体２の各係止枠２ｄ１の各係止溝２ｄ２へ挿入して、各係止枠２ｄ１に係止爪３ｄ１を係止して、ボックス本体２とボックス蓋体３との互いの開口面を合致させる。この合致により、ボックス本体２の底板２ａに対してボックス蓋体３の天板３ａが対向されて、ボックス本体２にボックス蓋体３が覆設され、ボックス本体２の収容空間２ｊ内に回路基板７が収容される。この収容により、回路基板７は、位置決め部材４，６とボックス本体２のスペーサ２ａ１〜２ａ５との間に挟み込まれる。
【００８７】
また、ボックス蓋体３とボックス本体２とが合致され、かつ、ボックス蓋体３が矢印Ａ方向へスライドされる以前の状態では、図３に示すように、収容空間２ｊの壁板２ｃとその壁板２ｃと対向する回路基板７端部（図３の下側端）との間に空隙Ｌ３が設けられる一方、ボックス本体２の各係止枠２ｄ１におけるボックス蓋体３のスライド方向側（図３の下側）に設けられた各制限壁２ｄ３と各係止溝２ｄ２に係止されたボックス蓋体３の各係止爪３ｄ１との間には、係止爪３ｄ１と係止溝２ｄ２の長手方向における差分長さ分の空隙Ｗ３（＝Ｗ１−Ｗ２）が設けられる。
【００８８】
ボックス蓋体３は、これらの空隙Ｌ３，Ｗ３を介して、ボックス本体２及びボックス蓋体３の合致後、ボックス本体２に対して相対的に矢印Ａ方向へ向けてスライドされるのである。かかる場合に、収容空間２ｊ内に収容された回路基板７は、その位置決め穴７ｇ，７ｇ，７ｈ，７ｈに位置決め部材４，４，６，６の各位置決め突起４ａ，４ａ，６ａ，６ａが嵌合されボックス蓋体３に引っ掛けられているので、ボックス蓋体３のスライドに伴って、スペーサ２ａ１〜２ａ５との当接しつつ収容空間２ｊ内をスライドされる。
【００８９】
ボックス蓋体３は、その各係止爪３ｄ１が各係止溝２ｄ２内を矢印Ａ方向へ向けて摺動することに伴って、ボックス本体２に対して矢印Ａ方向へスライドされる。かかるスライドを続けると、各係止爪３ｄ１は、が各係止溝２ｄ２内を矢印Ａ方向へ向けて空隙Ｗ３の長さ分摺動され、各係止枠２ｄ１の各制限壁２ｄ３と当接して摺動位置が制限されて、ボックス蓋体３のスライドが停止される。一方、ボックス蓋体３のスライドに伴って、ロック板２ｅ，３ｅが結合板３ｆ，２ｆの結合口３ｇ，２ｇにそれぞれ挿入され、ロック板２ｅ，３ｅが結合板３ｆ，２ｆに係止されてボックス本体２とボックス蓋体３とが結合される。
【００９０】
また、ボックス蓋体３が矢印Ａ方向へスライドされると、封印部材２１に凸設された周壁２４は、封印部材３１に凹設された嵌合溝３５に填り込み、封印部材３１に凸設された周壁３４は、封印部材２１に凹設された嵌合溝２５に填り込み、封印部材２１，３１が合致される。
【００９１】
このように合致された封印部材２１，３１によれば、その当接面（対向面）の間、即ち、周壁２４と嵌合溝３５との当接面の間、又は、周壁３４と嵌合溝２５との当接面の間へ薄板状の工具等を差し込み、封印ねじ１１がナット１２および係止座金１３ごと封印部材２１から引き抜き基板ボックス１を開封しようとしても、薄板状の工具等の先端部分が周壁２４，３４又は嵌合溝２５，３５に引っ掛かるので、その差し込みが防止される。一方、封印部材２１，３１が合致されると、各予備ねじ保持板３３は、各予備ねじ保持部材２３に保持された各予備ねじ１４の頭部１１ｂ上方に覆設される。
【００９２】
ボックス本体２とボックス蓋体３とが結合され、封印部材２１，３１が合致された後、ボックス蓋体３に穿設された各通穴５ｃ，５ｃにビス９，９をそれぞれ挿入すると、これらのビス９，９のねじ部先端が回路基板７の各通穴７ａ，７ａを通過してボックス本体２の底板２ａに到達する。各ビス９，９のねじ部先端の底板２ａへの到達後、各ビス９，９がボックス本体２の底板２ａにねじ込まれ、仕切部材５を介してボックス蓋体３及び回路基板７をボックス本体２にまとめてねじ止めにより固定される。その後、各通穴５ｃ，５ｃから底板２ａにねじ込まれたビス９，９を覆いつつ、ボックス本体２及びボックス蓋体３に跨るようにして、封印シール１０，１０がそれぞれ貼付される（図４参照）。
【００９３】
次に、図４に示すように、各ボックス封印具１０の封印部材３１のうち、ボックス蓋体３の側壁３ｂの最も左側に配設された封印部材３１、及び、ボックス蓋体３の側壁３ｃの最も右側に配設された封印部材３１の内部へ封印ねじ１１を挿入する。具体的には、図７に示すように、上述した２つの封印部材３１の各挿入穴３１ｂ内に封印ねじ１１の先端部１１ｃをそれぞれ挿入する。封印ねじ１１挿入後、封印ねじ１１の係合溝１１ｇにスクリュードライバ等のねじ回し工具を係合し、封印ねじ１１をナット１２にねじ込む。封印ねじ１１がねじ込まれると、封印ねじ１１のおねじ部１１ｄは、ナット１２のめねじ部１２ｃに螺入される。封印ねじ１１のねじ込みが続行されると、封印ねじ１１の先端部１１ｃは、ナット１２の下方に配置された係止座金１３の受け部１３ａに到達し、内孔１３ｂへと案内される。封印ねじ１１の先端部１１ｃが内孔１３ｂへ案内され挿入されると、先端部１１ｃのテーパ部Ｔ１により、係止座金１３の内孔１３ａが押し広げられ、係止座金１３の受け部１３ａが弾性変形する。
【００９４】
封印ねじ１１が更にねじ込まれると、封印ねじ１１のおねじ部１１ｄとナット１２のめねじ部１２ｃとの螺合が解除され、おねじ部１１ｄおよび非おねじ部１１ｅはそれぞれ保持穴１２ｄおよびめねじ部１２ｃ内に挿設され、封印ねじ１１の係止溝１１ｆが係止座金１３により係止され、封印ねじ１１が封印部材２１内にて抜き取り不可能な状態で保持される。一方、封印ねじ１１の頭部１１ｂは、封印部材３１の係合穴３１ａ内に係合される。
【００９５】
その結果、封印ねじ１１を反ねじ込み方向へ回転させた場合、封印ねじ１１のおねじ部１１ｄは、ナット１２の保持穴１２ｄ内にて空回し、封印ねじ１１を封印部材２１内から抜き取り不可能にすることができる。更に、封印ねじ１１の頭部１１ｂは、封印部材３１の係合穴３１ａに係合されているので、基板ボックス１のボックス本体２とボックス蓋体３とが開封不可能に連結され、基板ボックス１を確実に封印することができる（図７参照）。よって、基板ボックス１に被包された回路基板７の制御用ＲＯＭ等を不適法に取り外して、パチンコ機５０の遊技内容を変更する不正行為を防止することができる。また、封印部材２１，３１を破壊、切断等すれば基板ボックス１を開封することができるが、その場合には、基板ボックス１が開封された痕跡を確実に残すことができる。即ち、不正行為が行われたか否かを即座に発見することができる。
【００９６】
また、このようにして基板ボックス１が封印されると、各予備ねじ保持穴２３ａに保持された各予備ねじ１４は、各予備ねじ保持板３３により、確実に係止され、各予備ねじ保持穴２３ａ内に抜き取り不可能な状態で保持される。よって、予備ねじ１４が予備ねじ保持穴２３ａから抜け落ちることが防止されるので、予備ねじ１４の紛失を防止することができる。また、予備ねじ１４の不正な抜き取りを防止することができる。
【００９７】
以上説明したように、本実施例の基板ボックス１によれば、回路基板７とボックス蓋体３との間に立設される仕切部材５はボックス蓋体３と一体成形され、かつ、ボックス蓋体３及び回路基板７はビス９，９によりボックス本体２の底板２ａにまとめて固定されるので、ボックス蓋体３、仕切部材５及び回路基板７をボックス本体２に固定する一連の作業を、ビス９，９によりまとめて１度に行うことができる。よって、基板ボックス１の組立作業は簡素化されるので、基板ボックス１の組立コストを低減するすることができる。しかも、ボックス蓋体３と仕切部材５とを連結し固定するビスなども不要となるので、その分、基板ボックス１の製造コストを低減することができる。
【００９８】
また、回路基板７は、ビス９，９によって、ボックス本体２に固定される以前に、位置決め部材４，４，６，６によりボックス蓋体３及び仕切部材５の所定位置に位置決めされるので、ボックス蓋体３にボックス本体２を被せる場合にガタ付いて位置ズレすることを防止することができる。よって、回路基板７のボックス蓋体への位置決め作業を円滑に行うことができ、基板ボックス１の組立作業の作業性を向上することができる。
【００９９】
また、基板ボックス１によれば、コネクタ７ｂ〜７ｆに接続されるフラットケーブルやアース線は導出口から導出されるので、その回路基板７と他の回路基板（図示せず）等とを電気的に接続することができる。また、図４に示すように、仕切部材５の遮蔽壁５ａは、ボックス本体２に形成された導出口を遮蔽して塞ぐとともに、回路基板７上のコネクタ７ｂ〜７ｆより内側位置であって、回路基板７に搭載された電子部品より外側位置に立設されているので、電子部品への接触行為を防止するとともに、電子部品への不正行為を防止することができる。
【０１００】
更に、ボックス封印具１０は、封印ねじ１１によって連結された封印部材２１，３１の当接面（対向面）の外周に周壁２４，３４が凸設され、かつ、その周壁３４，２４に適合して形成された嵌合溝２５，３５が凹設されている。よって、封印部材２１，３１の当接面の間、即ち、周壁２４と嵌合溝３５との当接面の間、又は、周壁３４と嵌合溝２５との当接面の間へ薄板状の工具等を差し込み、封印ねじ１１をナット１２および係止座金１３ごと封印部材２１から引き抜き、基板ボックス１を開封しようとしても、薄板状の工具等の先端部分が周壁２４，３４又は嵌合溝２５，３５に引っ掛かるので、その差し込みを防止することができる。従って、基板ボックス１のこじ開けが防止されて、基板ボックス１に収納された回路基板７からＲＯＭ等を取り外して交換し、パチンコ機５０の遊技内容を変更する不正行為を防止することができる。
【０１０１】
図９は、第２実施例のボックス封印具１１０の部分的な側断面図であり、図中の矢印Ａはボックス蓋体３のスライド方向を示している。第２実施例のボックス封印具１１０は、上述した第１実施例のボックス封印具１０に対して、封印部材２１，３１の当接面の形状を変更したものである。以下、第１実施例と同一の部分には同一の番号を付してその説明は省略し、異なる部分のみ説明する。
【０１０２】
第１実施例のボックス封印具１０の封印部材２１，３１の当接面（対向面）には、周壁２４，３４が凸設され、かつ、その周壁３４，２４に適合して形成された嵌合溝２５，３５が凹設された。しかしながら、第２実施例のボックス封印具１１０では、図９のに示すように、封印部材２１の上面右側縁部分に外方へ向けて下降傾斜した傾斜面部１２４が形成され、封印部材３１の下面右側縁部分に外方へ向けて下降傾斜した傾斜面部１３４が封印部材２１の傾斜面部１２４に適合して形成されている。
【０１０３】
このように封印部材２１，３１の当接面（対向面）を構成することにより、薄板状の工具等を用いてボックス封印具１１０をこじ開ける場合、かかる薄板状の工具等を傾斜面部１２４，１３４に沿わせて傾斜させて差し込む必要がある。この場合、薄板状の工具等の先端部分は、封印部材２１，３１の水平な当接面に引っ掛かり、深く差し込むことができない。よって、封印部材２１，３１の当接面の間へ薄板状の工具等を差し込み、封印ねじ１１をナット１２および係止座金１３ごと封印部材２１から引き抜き基板ボックス１を開封することができず、基板ボックス１に収納された回路基板７からＲＯＭ等を取り外して交換し、パチンコ機５０の遊技内容を変更する不正行為を防止することができる。
【０１０４】
図１０は、第３実施例のボックス封印具２１０の部分的な正面断面図である。第３実施例のボックス封印具２１０は、上述した第１実施例のボックス封印具１０に対して、まず、封印部材２１，３１の当接面の形状が変更されている。即ち、第１実施例では、封印部材２１，３１の当接面には、周壁２４，３４が凸設され、かつ、その周壁３４，２４に適合して形成された嵌合溝２５，３５が凹設された。しかしながら、第３実施例では、図１０のに示すように、封印部材２１，３１の当接面２１１，３１１がそれぞれ鋸歯状に形成されている。当接面２１１，３１１は互いに歯合可能に形成されており、図１０の前後方向、即ち、図１０の紙面に対して垂直方向にスライド可能に形成されている。よって、封印部材２１，３１を合致させるために、ボックス蓋体３をボックス本体２に対して、図１０の前後方向へスライドさせることができるのである。
【０１０５】
このように、封印部材２１，３１の当接面２１１，３１１を鋸歯状に形成することにより、薄板状の工具等を当接面２１１，３１１の間へ差し込んでボックス封印具２１０により封印された基板ボックス１をこじ開け開封しようとしても、薄板状の工具等は鋸歯状に形成された当接面２１１，３１１に引っ掛かり、その差し込みを防止することができる。
【０１０６】
また、鋸等の工具を用いて封印部材２１，３１を連結する封印ねじ１１を切断し基板ボックス１を開封する場合には、封印部材２１，３１の当接面２１１，３１１付近を切断しなければならない。よって、不正行為を行った者が、不正行為を隠蔽する場合には、切断部分に接着剤等を塗布し、当接面２１１，３１１の鋸歯形状を修復する必要がある。しかしながら、かかる鋸歯形状の当接面２１１，３１１を修復して切断の痕跡を隠蔽することは容易ではなく、不正行為の隠蔽を確実に行うことができないので、不正行為が早期に発見されるとともに、かかる不正行為を抑制することができる。
【０１０７】
また、ボックス封印具２１０の互いに対向する封印部材２１，３１は異なる色に着色されている。ところで封印部材２１，３１を連結する封印ねじ１１を鋸等の工具を用いて切断して基板ボックス１を開封する場合に、封印部材２１と封印部材３１との当接面２１１，３１１付近を切断しなければならないが、封印部材２１，３１は互いに異なる色に着色されているので、ボックス封印具２１０の切断部分を接着剤等を用いてを修復し、その切断を隠蔽するためには、切断部分の色彩を再現する必要がある。しかしながら、かかる切断部分の色彩を再現することは困難であり、切断の痕跡を隠蔽することは容易ではない。従って、不正行為の隠蔽を確実に行うことができないので、不正行為を早期に発見できると共に、かかる不正行為を抑制することができる。
【０１０８】
尚、ボックス封印具２１０の着色パターンとしては、上下対向する封印部材２１，３１の色が異なっていれば良く、例えば、封印ユニット２０の各封印部材２１の全てを１の色（例えば、赤色）に着色し、その封印ユニット２０に対向する封印ユニット３０の各封印部材３１の全てを他の色（例えば、緑色）に着色しても良い。また、封印ユニット２０の４つの封印部材２１のそれぞれを異なる色、例えば、赤色、青色、黄色、緑色に着色し、その赤色の封印部材２１に対向する封印部材３１を緑色、青色の封印部材２１に対向する封印部材３１を黄色、黄色の封印部材２１に対向する封印部材３１を青色、緑色の封印部材２１に対向する封印部材３１を赤色に着色しても良い。
【０１０９】
更に、第３実施例のボックス封印具２１０は、封印部材２１および封印部材３１の外周面（外周）に針金材等で構成されたワイヤ部材２１２，３１２が格子状に略等間隔で周設されているので、鋸等の工具を用いてボックス封印具２１０を切断して基板ボックス１を開封する場合に、鋸等の工具の歯がワイヤ部材２１２やワイヤ部材３１２に引っ掛かる。よって、鋸等の工具による切断が行われると、ワイヤ部材２１２，３１２によって切断部分以外の封印部材２１，３１の各部分が破壊されて、切断の痕跡を残すことができる。このように破壊された封印部材２１，３１を修復して切断の痕跡を隠蔽することは容易ではなく、不正行為の隠蔽を確実に行うことができない。よって、不正行為が早期に発見されると共に、かかる不正行為を抑制することができる。
【０１１０】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１１１】
尚、以下に本発明の変形例を示す。請求項１記載の遊技機用基板ボックスにおいて、前記仕切部材または覆設部材における前記回路基板との対向部分に設けられ、その回路基板を所定位置に位置決めする位置決め部材と、その位置決め部材により位置決めされる前記回路基板およびボックスカバーを前記ボックスカバーにまとめて固定する固定部材とを備えていることを特徴とする遊技機用基板ボックス１。
【０１１２】
この遊技機用基板ボックス１によれば、ボックスカバーに立設された仕切部材と回路基板とを合わせて、位置決め部材により回路基板を仕切部材または覆設部材に位置決めする。回路基板の位置決め後、ボックスカバーにボックスベースを被せ、そのボックスベースの開放部分からボックスベース内に回路基板を収容して回路基板を被包する。回路基板の被包後、固定部材によって、ボックスカバー及び回路基板がボックスベースにまとめて固定され、回路基板の収納が完了する。回路基板は、固定部材によって、ボックスベースに固定される以前に、位置決め部材により仕切部材または覆設部材に位置決めされているので、ボックスカバーにボックスベースを被せる際に回路基板がガタ付いて位置ズレすることを防止して、遊技機用基板ボックス１の組立作業を円滑に行うことができる。
【０１１３】
ところで、従来の遊技機用基板ボックスでは、仕切部材をボックスカバー及び回路基板に複数箇所でねじ止めする必要があるので、遊技機用基板ボックスの組立作業に時間が掛かり、その組立コストが増加する一方、仕切部材をボックスカバーにねじ止めする分のビスが必要となるので、その分、遊技機用基板ボックスの製造コストが増加してしまっていた。
【０１１４】
しかしながら、遊技機用基板ボックス１では、その仕切部材はボックスカバーと一体成形され、かつ、ボックスカバー及び回路基板は固定部材によりボックスベースにまとめて固定されるので、従来のボックスカバーと仕切部材とが別体で設けられた遊技機用基板ボックスのように、ボックスベースに回路基板を固定し、その回路基板に仕切部材を固定し、更に、その仕切部材をボックスカバーに固定する一連の作業を、固定部材によってまとめて行うことができる。よって、遊技機用基板ボックス１の組立作業は簡素化されるので、その組立コストを低減するすることができる。しかも、ボックスカバーと仕切部材とを連結し固定するビスなども不要となるので、その分、遊技機用基板ボックス１の製造コストを低減することができる。
【０１１５】
遊技機用基板ボックス１において、前記位置決め部材は、前記仕切部材または回路基板に設けられる位置決め穴と、その位置決め穴に嵌合可能に形成されるとともに、その位置決め穴に対応して前記仕切部材または回路基板に設けられる位置決め突起とを備えていることを特徴とする遊技機用基板ボックス２。
【０１１６】
遊技機用基板ボックス２において、前記位置決め穴は前記回路基板に穿設されており、前記位置決め突起は、前記位置決め穴に対応して前記仕切部材から前記回路基板へ向けて突出して設けられており、その位置決め突起の突出部分長さ（突出量）は、前記回路基板の肉厚より小さく形成されていることを特徴とする遊技機用基板ボックス３。
【０１１７】
遊技機用基板ボックス１から３のいずれかにおいて、前記ボックスカバーには、その前記仕切部材が立設された部分の反対側部分に前記回路基板を所定位置に位置決めする第２位置決め部材が設けられていること特徴とする遊技機用基板ボックス４。
【０１１８】
遊技機用基板ボックス４において、前記第２位置決め部材は、前記ボックスカバー又は回路基板に設けられる第２位置決め穴と、その第２位置決め穴に嵌合可能に形成されるとともに、その第２位置決め穴に対応して前記ボックスカバー又は回路基板に設けられる第２位置決め突起とを備えていることを特徴とする遊技機用基板ボックス５。
【０１１９】
遊技機用基板ボックス５において、前記第２位置決め穴は前記回路基板に穿設されており、前記第２位置決め突起は、前記第２位置決め穴に対応して前記ボックスカバーから前記回路基板へ向けて突出して設けられており、その第２位置決め突起の突出部分長さ（突出量）は、前記回路基板の肉厚より小さく形成されていることを特徴とする遊技機用基板ボックス６。
【０１２０】
遊技機用基板ボックス１から６のいずれかにおいて、又は、請求項１記載の遊技機用基板ボックスにおいて、前記ボックスベース又はボックスカバーの一方に設けられる係止突起と、前記ボックスベース又はボックスカバーの他方に設けられ前記係止突起を回動可能、かつ、摺動可能に係止する係止部とを有し、その係止部に前記係止突起が係止されることにより、前記ボックスカバーを前記ボックスベースに対して相対的に開閉可能、かつ、スライド可能に連結する開閉部材と、前記ボックスベース又はボックスカバーの一方に設けられる結合部と、前記開閉部材を介して前記ボックスカバーが前記ボックスベースに被せられる場合に、前記結合部に対向して前記ボックスベース又はボックスカバーに設けられ、前記係止突起の前記係止部内での摺動に伴って前記結合部に係止される結合突起とを有し、その結合突起の前記結合部による係止により前記ボックスカバーを前記ボックスベースに結合して、そのボックスカバーの開放方向へ向けた回動を制限する結合部材とを備えていることを特徴とする遊技機用基板ボックス７。
【０１２１】
遊技機用基板ボックス７において、前記ボックスベースは、前記回路基板が収容可能に形成された収容空間を備えており、その収容空間は、前記回路基板より前記ボックスカバーのスライド方向における幅長が大きく形成されるとともに、前記回路基板における前記ボックスカバーのスライド方向側端面とその回路基板の端面と対向する前記収容空間の端面との間に空隙が設けられており、前記回路基板は、前記収容空間内で前記ボックスカバーのスライドに伴ってスライド可能に形成されていることを特徴とする遊技機用基板ボックス８。
【０１２２】
遊技機用基板ボックス７，８において、前記開閉部材の係止部は、前記係止突起を摺動可能に係止する係止溝を備えており、その係止溝のうち、前記結合部材を介した前記ボックスベース及びボックスカバーの結合時における前記開閉部材の係止突起の摺動方向側には、その係止突起の摺動位置を制限する制限壁が設けられていることを特徴とする遊技機用基板ボックス９。
【０１２３】
遊技機用基板ボックス９において、前記ボックスベースは、前記回路基板が収容可能に形成された収容空間を備えており、その収容空間は、前記回路基板より前記ボックスカバーのスライド方向における幅長が大きく形成されるとともに、前記回路基板における前記ボックスカバーのスライド方向側端面とその回路基板の端面と対向する前記収容空間の端面との間に空隙が設けられており、前記回路基板は、前記収容空間内で前記ボックスカバーのスライドに伴ってスライド可能に形成されており、更に、前記空隙は、前記制限壁により制限される前記係止突起の摺動量より大きく形成されていることを特徴とする遊技機用基板ボックス１０。
【０１２４】
遊技機用基板ボックス７から１０のいずれかにおいて、前記ボックスベースに配設される第１封印部材と、その第１封印部材に対向し前記ボックスカバーに配設される第２封印部材と、その第２封印部材および第１封印部材を連結し、前記ボックスベース及びボックスカバーを封印する連結封印部材とを備え、前記第１封印部材および第２封印部材は、その互いに対向する端面が適合した形状に形成されており、その第２封印部材の端面は、前記結合部材を介した前記ボックスベース及びボックスカバーの結合時における前記ボックスカバーのスライドに伴って、前記第１封印部材の端面に当接しつつスライド可能に形成されていることを特徴とする遊技機用基板ボックス１１。
【０１２５】
遊技機用基板ボックス１１において、前記第１封印部材および第２封印部材の対向する端面には、その外形が互いに適合した凹凸部が形成されており、その凹凸部は前記ボックスカバーのスライド方向へ連続して設けられていることを特徴とする遊技機用基板ボックス１２。
【符号の説明】
【０１２６】
５０            パチンコ機（遊技機）
１              基板ボックス（遊技機用基板ボックス）
２              ボックス本体（ボックスベース）
２ｄ１          係止枠（係止部、開閉部材の一部）
２ｄ２          係止溝
２ｄ３          制限壁
２ｅ，３ｅ      ロック板（結合突起、結合部材の一部）
２ｆ，３ｆ      結合板（結合部、結合部材の一部）
２ｊ            収容空間
３              ボックス蓋体（ボックスカバー）
３ｄ１          係止爪（係止突起、開閉部材の一部）
４              位置決め部材（第２位置決め部材）
４ａ            第２位置決め突起
５              仕切部材
５ａ            遮蔽壁
５ｂ            覆設板（覆設部材）
５ｄ〜５ｈ      コネクタ口
６              位置決め部材
６ａ            位置決め突起
７              回路基板
７ｂ〜７ｆ      コネクタ
７ｇ            第２位置決め穴
７ｈ            位置決め穴
９              ビス（固定部材）
１１            封印ねじ（連結封印部材）
２１，３１      封印部材（第１封印部材、第２封印部材）
２４，３４      周壁（第１封印部材及び第２封印部材の対向する端面の一部）
２５，３５      嵌合溝（第１封印部材及び第２封印部材の対向面の一部）
１２４，１３４  傾斜面部（第１封印部材及び第２封印部材の対向面の一部）
２１１，３１１  当接面（凹凸部）
Ａ              矢印（係止突起の摺動方向）
Ｌ１            幅長（収容空間の幅長）
Ｌ２            幅長（回路基板の幅長）
Ｌ３            空隙
Ｗ３            空隙（係止突起の摺動量）
【図１】
2011125742.tif 000003
【図２】
2011125742.tif 000004
【図３】
2011125742.tif 000005
【図４】
2011125742.tif 000006
【図５】
2011125742.tif 000007
【図６】
2011125742.tif 000008
【図７】
2011125742.tif 000009
【図８】
2011125742.tif 000010
【図９】
2011125742.tif 000011
【図１０】
2011125742.tif 000012